(57)【要約】【課題】転写箔、中間転写媒体を利用して、印刷対象物の上に印刷画像を形成する間接転写印刷方法であって、蛍光顔料を含むインキ層を有する転写箔を使用して、しかも、偽造防止機能を高めた間接転写印刷方法を提供すること。【解決手段】前記転写箔１の蛍光顔料を含むインキ層Ｆを中間転写媒体２の受像層２３の上に転写して印刷画像を形成する１次転写印刷工程と、その中間転写媒体を印刷対象物３に重ね、前記印刷画像と共に受像層を印刷対象物に転写する２次転写印刷工程とを有する転写印刷方法であって、前記１次転写印刷工程において、前記インキ層を転写すると共に、前記インキ層と受像層との境界面のうち少なくとも一部の境界面に、可視光を散乱する凹凸を形成する。【選択図】図６
2018196954.tif 000002
【特許請求の範囲】
【請求項１】
転写箔基材上に蛍光顔料を含むインキ層を有する転写箔と、中間転写媒体基材上に剥離可能に受像層を有する中間転写媒体と、印刷対象物とを使用する転写印刷方法であって、前記転写箔と中間転写媒体とを重ね、転写箔の前記インキ層を中間転写媒体の受像層の上に転写して印刷画像を形成する１次転写印刷工程と、その中間転写媒体を印刷対象物に重ね、前記印刷画像と共に受像層を印刷対象物に転写する２次転写印刷工程とを有する転写印刷方法において、
前記１次転写印刷工程が、前記インキ層を転写すると共に、前記インキ層と受像層との境界面のうち少なくとも一部の境界面に、可視光を散乱する凹凸を形成する工程であることを特徴とする転写印刷方法。
【請求項２】
前記１次転写印刷工程が、前記インキ層を転写すると共に、前記インキ層と受像層との境界面のうち一部の境界面に、可視光を散乱する凹凸を形成し、残部の境界面を可視光が散乱しない面とする工程であることを特徴とする請求項１に記載の転写印刷方法。
【請求項３】
前記転写箔が蛍光顔料を含む前記インキ層と共に、着色剤を含む着色インキ層を有しており、前記１次転写印刷工程が、蛍光顔料を含む前記インキ層と共に前記着色インキ層を受像層の上に転写する工程であることを特徴とする請求項１又は２記載の転写印刷方法。
【請求項４】
前記１次転写印刷工程が、転写箔と中間転写媒体とを重ね、転写箔の背面側からサーマルヘッドを押し当て、加熱して転写する工程であることを特徴とする請求項１〜３のいずれかに記載の転写印刷方法。
【請求項５】
印刷対象物上に受像層を有し、かつ、蛍光顔料を含むインキ層から成る印刷画像をこの受像層上に有する印刷物であって、
前記インキ層と受像層との境界面のうち少なくとも一部の境界面に、可視光を散乱する凹凸を有することを特徴とする印刷物。
【発明の詳細な説明】
【技術分野】
【０００１】
本発明は、いわゆる間接転写印刷方法を利用して、偽造困難な印刷物を製造する方法及びこうして得られた印刷物に関するものである。
【背景技術】
【０００２】
間接転写印刷方法は、転写箔と印刷対象物に加えて中間転写媒体を利用して、その印刷対象物の上に印刷画像を形成する技術である。
【０００３】
転写箔には着色インキ層が設けられている。また、中間転写媒体はこの着色インキ層を接着することのできる受像層を有している。そして、この間接転写印刷方法では、まず、転写箔の着色インキ層を中間転写媒体の受像層に転写して印刷画像を形成する。
【０００４】
典型的には、着色インキ層として、イエロー、マゼンタ、シアンの三色、あるいはこの三色に黒色を加えた四色の着色インキ層が用いられており、この四色の着色インキ層を繰り返し転写することにより、中間転写媒体上の受像層にフルカラーの印刷画像を形成することができる。なお、転写印刷の手段としては、サーマルヘッドが一般に用いられている。転写箔に中間転写媒体を重ね、転写箔の裏面からサーマルヘッドを押し当て、部分的に加熱することにより、加熱部位の着色インキ層を転写して、印刷画像を形成するのである。
【０００５】
そして、このようにフルカラーの印刷画像を形成した中間転写媒体を印刷対象物に重ね、中間転写媒体の裏面から熱圧することにより、前記印刷画像を形成した受像層を印刷対象物に転写するのである。転写印刷の手段としては、加熱盤又は加熱ロールを使用することが通常である。
【０００６】
この間接転写印刷方法においては、サーマルヘッドの制御によってさまざまな印刷画像を形成することができ、しかも、印刷画像は中間転写媒体の受像層に形成され、この受像層が印刷対象物に接着して転写されるため、さまざまな材質の印刷対象物に印刷画像を形成することができる。このような利点を生かして、間接転写印刷方法は、印刷対象物ごとに異なる印刷画像を形成する必要のある用途に幅広く利用されている。例えば、身分証明カード（ＩＤカード）等の各種プラスチックカードやパスポート等の冊子を印刷対象物として、その持ち主の住所氏名や顔写真を印刷する用途である。また、同じ転写箔と中間転写媒体とを使用して、材質の異なる印刷対象物にこれら印刷画像を形成することもできる。
【０００７】
ところで、このような用途は、その持ち主の身分等を証明する機能を有するため、形成される印刷画像には、その偽造を困難とする偽造防止機能が付与されていることが望まれている。このような要望に応えるため、前記転写箔として、前述の三色又は四色の着色インキ層に加えて、蛍光顔料を含むインキ層を使用する方法が知られている（特許文献１）。この方法によれば、印刷対象物に、蛍光顔料を含むインキ層をパターン状に形成した印刷画像が形成される。この印刷画像は自然光や室内光の下では観察できず、このため、その存在自体が秘密状態に置かれる。一方、この印刷画像に紫外線を照射すると蛍光を発光するから、この印刷物が真正なものであることが認識できるのである。
【先行技術文献】
【特許文献】
【０００８】
【特許文献１】特開平１１−１８００５７号公報
【発明の概要】
【発明が解決しようとする課題】
【０００９】
本発明は、蛍光顔料を含むインキ層を有する転写箔を使用して、しかも、偽造防止機能を高めた間接転写印刷方法を提供するものである。また、併せて、本発明は、偽造防止機能を高めた印刷物を提供する。
【課題を解決するための手段】
【００１０】
すなわち、請求項１に記載の発明は、転写箔基材上に蛍光顔料を含むインキ層を有する転写箔と、中間転写媒体基材上に剥離可能に受像層を有する中間転写媒体と、印刷対象物とを使用する転写印刷方法であって、前記転写箔と中間転写媒体とを重ね、転写箔の前記インキ層を中間転写媒体の受像層の上に転写して印刷画像を形成する１次転写印刷工程と、その中間転写媒体を印刷対象物に重ね、前記印刷画像と共に受像層を印刷対象物に転写する２次転写印刷工程とを有する転写印刷方法において、
前記１次転写印刷工程が、前記インキ層を転写すると共に、前記インキ層と受像層との境界面のうち少なくとも一部の境界面に、可視光を散乱する凹凸を形成する工程であることを特徴とする転写印刷方法である。
【００１１】
次に、請求項２に記載の発明は、前記１次転写印刷工程が、前記インキ層を転写すると共に、前記インキ層と受像層との境界面のうち一部の境界面に、可視光を散乱する凹凸を形成し、残部の境界面を可視光が散乱しない面とする工程であることを特徴とする請求項１に記載の転写印刷方法である。
【００１２】
次に、請求項３に記載の発明は、前記転写箔が蛍光顔料を含む前記インキ層と共に、着色剤を含む着色インキ層を有しており、前記１次転写印刷工程が、蛍光顔料を含む前記インキ層と共に前記着色インキ層を受像層の上に転写する工程であることを特徴とする請求項１又は２記載の転写印刷方法である。
【００１３】
次に、請求項４に記載の発明は、前記１次転写印刷工程が、転写箔と中間転写媒体とを重ね、転写箔の背面側からサーマルヘッドを押し当て、加熱して転写する工程であることを特徴とする請求項１〜３のいずれかに記載の転写印刷方法である。
【００１４】
次に、請求項５に記載の発明は、印刷対象物上に受像層を有し、かつ、蛍光顔料を含むインキ層から成る印刷画像をこの受像層上に有する印刷物であって、
前記インキ層と受像層との境界面のうち少なくとも一部の境界面に、可視光を散乱する凹凸を有することを特徴とする印刷物である。
【発明の効果】
【００１５】
本発明においては、蛍光顔料を含むインキ層（蛍光インキ層）を受像層と共に印刷対象物に転写して印刷画像を形成するから、紫外線を励起光として、この励起光を印刷画像に照射することにより、この印刷画像は蛍光を発光する。
【００１６】
一方、インキ層と受像層との境界面には、少なくともその一部に、可視光を散乱する凹凸が設けられている。そこで、励起光の光源として、紫外線に加えて短波長の可視光（青色光）を発光する紫外線ランプを使用すれば、この青色光は前記境界面で散乱反射される。
【００１７】
このため、蛍光インキ層で発光した蛍光と、前記境界面で散乱反射した青色光とが重畳して、その混合色を表示する。例えば、前記蛍光が緑色の場合、この緑色光と青色光とが混色して、シアンを表示する。
【００１８】
そして、このような混色がみられない印刷物は、真正なものではないと判断することができる。例えば、紫外線と青色光とを発光するランプで照射して、印刷画像が混合色を表示しないＩＤカードは偽造カードである。
【図面の簡単な説明】
【００１９】
【図１】図１は本発明の転写箔の具体例に係り、図１（ａ）はその平面図、図１（ｂ）は断面図である。
【図２】図２は本発明の中間転写媒体の具体例に係る断面図である。
【図３】図３は蛍光インキ層を転写した中間転写媒体に係り、図３（ａ）は両者の境界面に凹凸が形成されていない中間転写媒体の断面説明図、図３（ｂ）は両者の境界面に凹凸が形成された中間転写媒体の断面説明図である。
【図４】図４は本発明の印刷対象物の具体例に係り、図４（ａ）はその平面図、図４（ｂ）は一部断面図である。
【図５】図５は本発明の印刷物の具体例の平面図である。
【図６】図６は本発明の印刷物の具体例に係り、図６（ａ）は両者の境界面に凹凸が形成されていない印刷物の断面説明図、図６（ｂ）は両者の境界面に凹凸が形成された印刷物の断面説明図である。
【図７】図７は本発明の中間転写媒体を使用して転写印刷する方法の説明図である。
【発明を実施するための形態】
【００２０】
以下、図面を参照して、本発明の具体例を説明する。
【００２１】
本発明の転写印刷方法においては、転写箔１、中間転写媒体２及び印刷対象物３を使用する。本発明の転写印刷方法は、これら三者を使用して印刷対象物に印刷画像を形成することにより、印刷物を製造する方法である。
【００２２】
図１は転写箔１の具体例に係り、図１（ａ）はその平面図、図１（ｂ）は断面図である。これらの図に示すように、転写箔１は、転写箔基材１１上にインキ層Ｙ，Ｍ，Ｃ，Ｂ，Ｆを積層して構成されている。なお、インキ層Ｙはイエローの着色顔料を含む着色インキ層、インキ層Ｍはマゼンタの着色顔料を含む着色インキ層、インキ層Ｃはシアンの着色顔料を含む着色インキ層、インキ層Ｂは黒色の着色顔料を含む着色インキ層である。また、インキ層Ｆは蛍光顔料を含むインキ層（蛍光インキ層）である。この図から分かるように、各インキ層Ｙ，Ｍ，Ｃ，Ｂ，Ｆは、転写箔基材１１上に面順次に積層されている。
【００２３】
転写箔基材１１としては、コンデンサペーパー等の紙、またはポリエステルフィルム、ポリスチレンフィルム、ポリカーボネートフィルム、アクリルフィルム、ポリプロピレンフィルム、あるいはセロファン等が使用できる。中でも、ポリエステルフィルムを好ましく使用できる。厚みは２〜５０μｍでよい。
【００２４】
各インキ層Ｙ，Ｍ，Ｃ，Ｂ，Ｆは、それぞれ、着色顔料又は蛍光顔料を樹脂バインダーに混合して、塗布又は印刷することによって形成することができる。また、このほか、適宜、離型剤、軟化剤、界面活性剤等を配合してもよい。着色顔料としては、種々の公知の顔料を使用することができ、例えばカーボンブラック、アゾ系、フタロシアニン系、キナクリドン系、チオインジゴ系、アンスラキノン系、イソインドリノン系等の顔料が挙げられる。また、蛍光顔料も公知の蛍光顔料を使用することができる。例えば、励起光として紫外線を照射して、緑色の蛍光を発光する蛍光顔料である。樹脂バインダーとしては、例えば、ブチラール樹脂、ポリアミド樹脂、ポリエチレンイミン樹脂、スルホンアミド樹脂、ポリエステルポリオール樹脂、石油系樹脂、エポキシ樹脂、スチレン樹脂、アクリル樹脂、塩化ビニル樹脂等を用いることができる。
【００２５】
次に、中間転写媒体２は、図２に示すように、中間転写媒体基材２１上に剥離層２２と受像層２３とをこの順に積層して構成されている。
【００２６】
中間転写媒体基材２１としてはポリエステルフィルムが好ましく使用できる。例えば、ポリエチレンテレフタレートフィルム、ポリエチレンナフタレートフィルム等である。厚みは１０〜３００μｍでよい。
【００２７】
剥離層２２は中間転写媒体基材２１と受像層２３とを剥離容易とする役割を有している。中間転写媒体基材２１と受像層２３との剥離は、中間転写媒体基材２１と剥離層２２との境界面で生じてもよいし、剥離層２２と受像層２３との境界面で生じてもよい。また、剥離層２２が凝集破壊して中間転写媒体基材２１と受像層２３とが剥離するものであってもよい。
【００２８】
剥離層２２は、例えば、例えば、ポリカーボネート樹脂、アクリル系樹脂、フッ素系アクリル樹脂、アクリルシリコーン樹脂、エポキシアクリレート樹脂、ポリスチレン樹脂、シクロオレフィンポリマー、メチルスチレン樹脂、フルオレン樹脂、セルロース系樹脂、ポリアセタール樹脂、あるいはＵＶ硬化樹脂等の各種樹脂を塗布することで構成することができる。また、これら樹脂にシリコンやフッ素系のパウダーや添加剤、あるいはポリエステル樹脂や各種天然ワックス類、合成炭化水素系ワックス、脂肪族アルコールと酸系ワックス、脂肪酸エステルとグリセライト系ワックス、アミン及びアマイド系ワックス、高級脂肪酸金属塩などを添加したもので構成してもよい。
【００２９】
次に、受像層２３は前記各インキ層Ｙ，Ｍ，Ｃ，Ｂ，Ｆをこの受像層２３上に接着して印刷画像を形成すると共に、印刷対象物３に接着する役割を有するものである。受像層２３は、例えば、スチレン樹脂、ポリメタクリル酸メチル、ポリアクリル酸エチル等のアクリル系樹脂、ポリ塩化ビニル、ポリ酢酸エチル、塩化ビニル−酢酸ビニル共重合体、ポリビニルプチラール、ポリビニルアセタール等のビニル系樹脂、ポリエステル樹脂、ポリアミド樹脂、エポキシ樹脂、ポリウレタン樹脂、石油樹脂、エチレンアクリル共重合体、エチレン−アクリル酸エステル共重合体等の合成樹脂、ロジン、スチレンブタジエンゴム、ブチルゴム、ブタジエンアクリロニトリルゴム、ポリ塩素化オレフィン、セルロース誘導体等の各種樹脂を塗布することで構成することができる。
【００３０】
そして、本発明の転写印刷方法においては、まず、１次転写印刷工程として、この中間転写媒体２の受像層２３上に印刷画像を形成する。すなわち、転写箔１と中間転写媒体２とを重ね、転写箔１の背面側からサーマルヘッドを押し当て、サーマルヘッドを発熱させることにより、この発熱部位の各インキ層Ｙ，Ｍ，Ｃ，Ｂ，Ｆを転写する。そして、この転写を各インキ層Ｙ，Ｍ，Ｃ，Ｂ，Ｆごとに繰り返すことにより、受像層２３上にフルカラーの印刷画像を形成することができる。
【００３１】
この１次転写印刷工程においては、サーマルヘッドの発熱量に応じて、受像層２３上に転写される各インキ層Ｙ，Ｍ，Ｃ，Ｂ，Ｆの面積が変化する。すなわち、サーマルヘッドの発熱量が大きいほど転写される各インキ層Ｙ，Ｍ，Ｃ，Ｂ，Ｆの面積が大きくなる。そこで、この発熱量を制御することにより転写面積を制御して諧調のある印刷画像を形成することができる。例えば、サーマルヘッドの発熱量を２５６段階に制御すれば、２５６階調の印刷画像を形成することができるのである。
【００３２】
このようにサーマルヘッドの発熱量に応じて各インキ層Ｙ，Ｍ，Ｃ，Ｂ，Ｆの転写面積が変化するが、最大の転写面積となる発熱量を超えて、サーマルヘッドを過剰に発熱させると、その熱によって受像層２３表面が軟化し、凹凸を発生する。すなわち、このような
過剰な発熱によって、各インキ層Ｙ，Ｍ，Ｃ，Ｂ，Ｆが受像層２３表面に転写されると共に、各インキ層Ｙ，Ｍ，Ｃ，Ｂ，Ｆと受像層２３との境界面に凹凸が形成されるのである。この凹凸は微細なものであり、例えば短波長の可視光（青色光）を散乱する。もちろん、その散乱光の一部は反射散乱光となる。
【００３３】
そこで、この１次転写印刷工程において、前記蛍光インキ層Ｆを転写する際に、サーマルヘッドの発熱量を、転写に必要な適正な量とすれば、図３（ａ）に示すように、蛍光インキ層Ｆと受像層２３との境界面には凹凸が形成されず、可視光（青色光）も散乱されない。一方、サーマルヘッドを過剰に発熱させた場合には、図３（ｂ）に示すように、蛍光インキ層Ｆと受像層２３との境界面に凹凸ｙが形成されて、この凹凸面ｙが可視光（青色光）を反射散乱する。
【００３４】
そして、このため、励起光の光源として、紫外線に加えて短波長の可視光（青色光）を発光する紫外線ランプを使用すれば、凹凸のない平滑な境界面ｘを有する部位においては、蛍光インキ層で発光した蛍光が表示される。一方、凹凸面ｙが形成された部位では、蛍光インキ層で発光した蛍光と、前記境界面で散乱反射した青色光とが重畳して、その混合色を表示する。
【００３５】
例えば、前記蛍光が緑色の場合、凹凸のない平滑な境界面ｘを有する部位においては、蛍光の緑色が観察できる。一方、凹凸面ｙが形成された部位では、蛍光の緑色光と青色光とが混色して、シアンが観察できる。また、前記蛍光が赤色の場合には、凹凸面ｙが形成された部位では、蛍光の赤色光と青色光とが混色して、マゼンタに近い色彩が観察できる。
【００３６】
このため、サーマルヘッドの制御によって、蛍光インキ層Ｆと受像層２３との境界面の一部に可視光（青色光）を反射散乱する凹凸面ｙを形成し、残部の境界面を可視光が散乱しない面とすることができる。この場合には、蛍光インキ層Ｆの一部の部位で蛍光と青色光との混合色が表示され、残部の部位で蛍光の色彩が表示される。なお、各着色インキ層Ｙ，Ｍ，Ｃ，Ｂが転写された部位では、転写されたインキ層の色彩に応じ、その色彩が表示される。もちろん、この印刷画像を肉眼で観察した場合には、転写された面積に応じて濃淡が観察され、また、各インキ層が混色した中間色も観察できる。
【００３７】
なお、このように蛍光インキ層Ｆと受像層２３との境界面に凹凸面ｙを形成するためには、例えば、受像層２３の材質がエポキシ系樹脂である場合には、サーマルヘッドの発熱面積である８４μｍ×８４μｍの面積に対して、０．４ｍＪ以上を与えるように発熱制御すればよい。
【００３８】
次に、こうして印刷画像が形成された中間転写媒体２を印刷対象物３に重ね、前記印刷画像と共に受像層２３を印刷対象物３に転写する（２次転写印刷工程）ことにより、印刷対象物に印刷画像を形成して印刷物とすることができる。
【００３９】
前述のように、印刷対象物３としては様々な材質のものを使用することができる。例えば、プラスチックカードである。また、紙を材質とする冊子等である。例として、プラスチック製ＩＤカードを図４に示す。図４（ａ）はその平面図、図４（ｂ）は一部断面図である。
【００４０】
このＩＤカード３は、コアシート３１の片面に印刷画像３２を形成し、その両面を透明表面フィルム３３，３３で被覆したものである。印刷画像３２はそれぞれのＩＤカード３に共通する情報を構成するもので、例えば、図４（ａ）から分かるように、地紋、カードの種類、カード発行者等を表示している。ＩＤカード３は、ＩＣチップを内蔵するＩＣカ
ードであってもよいし、磁気記録層を有する磁気カードであってもよい。また、ホログラム等の偽造防止手段を施したものでもよい。
【００４１】
２次転写印刷工程は、中間転写媒体２を印刷対象物３に重ね、中間転写媒体２の背面から熱圧して両者を接着した後、中間転写媒体基材２１を剥離除去することによって行うことができる。両者の熱圧は加熱盤又は加熱ロールを押圧することによって可能である。また、前述のように、中間転写媒体基材２１と剥離層２２との境界面で剥離して中間転写媒体基材２１を除去してもよいし、剥離層２２と受像層２３との境界面で剥離して中間転写媒体基材２１を除去してもよい。剥離層２２の凝集破壊によって中間転写媒体基材２１を除去することも可能である。
【００４２】
こうして印刷画像を形成した印刷物（ＩＤカード）３’の例を図５に示す。この図から分かるように、このＩＤカード３’には、共通情報を示す印刷画像に加えて、２次転写印刷工程で形成された印刷画像が表示されている。この印刷画像のうち、図中、ａは四色の着色インキ層Ｙ，Ｍ，Ｃ，Ｂで構成されたカラー写真である。また、図中、ｂは黒色インキ層Ｂで構成された文字画像である。そして、Ｆｘは蛍光インキ層Ｆで構成された「ＡＢＣ」の文字で、しかも、蛍光インキ層Ｆと受像層２３との境界面に凹凸が形成されていない画像を示している（図６（ａ）参照）。また、Ｆｙは蛍光インキ層Ｆで構成された「ＤＥＦ」の文字で、蛍光インキ層Ｆと受像層２３との境界面に凹凸が形成された画像を示すものである（図６（ｂ）参照）。
【００４３】
そして、このため、自然光又は室内光でこのＩＤカード３’を観察したときには、カラー写真ａ及び文字画像ｂが観察できるが、蛍光インキ層Ｆで構成された「ＡＢＣ」の文字画像Ｆｘ及び「ＤＥＦ」の文字画像Ｆｙを観察することはできない。一方、紫外線に加えて短波長の可視光（青色光）を発光する紫外線ランプを使用し、その光を励起光として照射すると、前記カラー写真ａ及び文字画像ｂに加えて、文字画像Ｆｘ及び文字画像Ｆｙを観察することができる。文字画像Ｆｘは蛍光インキで発光する蛍光の色彩であり、文字画像Ｆｙはその蛍光と反射散乱された可視光（青色光）との混合色である。例えば、蛍光インキの発光が緑色の場合、「ＡＢＣ」の文字画像Ｆｘは緑色に観察でき、「ＤＥＦ」の文字画像Ｆｙはシアンに観察できる。蛍光インキの発光が赤色の場合には、「ＤＥＦ」の文字画像Ｆｙはマゼンタに近い色彩である。
【００４４】
そして、このため、ＩＤカード３’に前記励起光を照射したとき、「ＡＢＣ」の文字画像Ｆｘが緑色で、しかも、「ＤＥＦ」の文字画像Ｆｙがシアンに見えたときには、他に異常がないことを条件として、このＩＤカード３’を真正なカードと推定できる。一方、文字画像Ｆｘが緑色ではなく、あるいは、文字画像Ｆｙがシアンではない場合には、そのＩＤカード３’を真正なものではないと推定できる。
【００４５】
以上、本発明の転写印刷方法に加えて得られる印刷物について説明したが、本発明の転写印刷方法は、その１次転写印刷工程と２次転写印刷工程とを連続して行うことができる。
【００４６】
図７はこの方法を示す説明図である。すなわち、まず、ウエブ状の転写箔１及びウエブ状の中間転写媒体２を巻き出し、ガイドレールに沿って走行させて、両者を重ね合わせ、転写箔１の背面側からサーマルヘッド４を押圧すると共に発熱させ、各インキ層Ｙ，Ｍ，Ｃ，Ｂ，Ｆを中間転写媒体２に転写して印刷画像を形成する（１次転写印刷工程）。なお、この１次転写印刷工程においては、各インキ層Ｙ，Ｍ，Ｃ，Ｂ，Ｆを転写する都度中間転写媒体２を巻き戻して転写箔１と位置合わせすることにより、各インキ層Ｙ，Ｍ，Ｃ，Ｂ，Ｆを転写してカラーの印刷画像を形成することができる。
【００４７】
次に、こうして印刷画像を形成した中間転写媒体２を走行させると共に、印刷対象物３を供給し、両者を重ね合わせ、中間転写媒体２の背面側から熱圧して、その印刷画像を受像層２３と共に印刷対象物３に転写し、中間転写媒体基材２１を剥離除去する（２次転写印刷工程）。なお、図中、５は加熱ロール、６はバックロールを示す符号である。
【符号の説明】
【００４８】
１：転写箔    １１：転写箔基材    Ｙ：イエローの着色インキ層    Ｍ：マゼンタの着色インキ層    Ｃ：シアンの着色インキ層    Ｂ：黒色の着色インキ層    Ｆ：蛍光インキ層
２：中間転写媒体    ２１：中間転写媒体基材    ２２：剥離層    ２３：受像層
３：印刷対象物    ３１：コアシート    ３２：共通情報の印刷画像    ３３：透明表面フィルム
４：サーマルヘッド
５：加熱ロール
６：バックロール
ｘ：凹凸のない境界面    ｙ：凹凸のある境界面
Ｆｘ：凹凸のない境界面の蛍光インキ層    Ｆｙ：凹凸のある境界面の蛍光インキ層
【図１】
2018196954.tif 000003
【図２】
2018196954.tif 000004
【図３】
2018196954.tif 000005
【図４】
2018196954.tif 000006
【図５】
2018196954.tif 000007
【図６】
2018196954.tif 000008
【図７】
2018196954.tif 000009